(57)【要約】【課題】目的のチャネルの近傍の周波数帯にスプリアス電波が生じていても、このスプリアス電波を目的のチャネルと誤認識するのを回避できる無線通信装置を提供すること。【解決手段】携帯電話機１は、発振周波数の補正が可能な発振器３２と、複数の捕捉用チャネルのいずれかにて指定された待受け用チャネルの受信を行うことで待受け状態に遷移する通信制御部３１と、捕捉用チャネルあるいは待受け用チャネルを捕捉する際に、発振器３２の補正値にて補正量を逐次更新するＣＰＵ３０と、所定の捕捉用チャネルの捕捉に成功したにもかかわらず、待受け用チャネルの受信が行えないことが生じた場合に、当該捕捉用チャネルの信号に基づく識別データを記憶するメモリ３５と、を備え、ＣＰＵ３０は、記憶された識別データにより特定される待受け用チャネルを受信する場合には、捕捉用チャネルの捕捉時における発振器３２の補正値にて補正量を更新しないよう制御する。【選択図】図２
2010177968.tif 000002
【特許請求の範囲】
【請求項１】
発振周波数の補正が可能な発振器と、
周波数分割された複数の捕捉用チャネルのうちのいずれか１つの信号を捕捉し、捕捉した捕捉用チャネルの信号に基づいて、当該捕捉用チャネルにて指定された待受け用チャネルの受信を行うことで通信の待受け状態に遷移する通信手段と、
前記通信手段により前記捕捉用チャネルあるいは待受け用チャネルを捕捉する際に、前記発振器の発振周波数を自動的に補正し、当該補正に基づく補正値により当該発振器の補正量を逐次更新するように制御する制御手段と、
前記通信手段が所定の捕捉用チャネルの捕捉に成功したにもかかわらず、当該捕捉用チャネルの信号に基づいた待受け用チャネルの受信が行えず、前記待受け状態に遷移できないことが生じた場合に、当該捕捉用チャネルの信号に基づく識別データを記憶する記憶手段と、を備え、
前記制御手段は、前記記憶手段に記憶された識別データにより特定される待受け用チャネルを受信する場合には、前記捕捉用チャネルの捕捉時における前記発振器の補正値にて前記補正量を更新しないよう制御する、
ことを特徴とする無線通信装置。
【請求項２】
前記記憶手段は、前記識別データの記憶を、捕捉した捕捉用チャネルの信号に基づいて、前記待受け状態に遷移できないことが所定回数生じた場合に行う、
ことを特徴とする請求項１記載の無線通信装置。
【請求項３】
前記記憶手段は、前記識別データの記憶を、捕捉した捕捉用チャネルの信号に基づいて、前記待受け状態に遷移できないことが連続して所定回数生じた場合に行う、
ことを特徴とする請求項２記載の無線通信装置。
【請求項４】
前記制御手段は、前記記憶手段に記憶された識別データにより特定される捕捉用チャネルの信号を捕捉した場合には、当該捕捉時における前記発振器の補正値による前記補正量の更新を行わないよう制御する、
ことを特徴とする請求項１から３のいずれか一項に記載の無線通信装置。
【請求項５】
前記制御手段は、前記通信手段により捕捉した捕捉用チャネルの信号に基づいて待受け用チャネルの受信に成功した場合には、当該待受け用チャネル受信時における前記発振器の補正値による前記補正量の更新を行うよう制御する、
ことを特徴とする請求項１から３のいずれか一項に記載の無線通信装置。
【請求項６】
前記制御手段は、
前記通信手段により待受け用チャネルの受信に成功した場合における前記発振器の補正値により前記補正量を更新すると共に、当該発振器の補正値を所定の一時記憶領域にも保持しておき、
前記記憶手段に記憶された識別データにより特定される捕捉用チャネルを捕捉し、当該捕捉用チャネルの信号に基づいた待受け用チャネルを受信する際に、当該待受け用チャネルの受信に失敗したならば、前記一時記憶領域に保持された補正値を用いて前記発振器の補正量を更新し、当該待受け用チャネルの捕捉を前記通信手段に行わせる、
ことを特徴とする請求項１から５のいずれか一項に記載の無線通信装置。
【請求項７】
前記捕捉用チャネルは、ＣＤＭＡ２０００＿１ｘ方式におけるパイロットチャネルであり、前記待受け用チャネルは、前記パイロットチャネルの信号から得られる同期メッセージに含まれる識別データを用いて捕捉するＣＤＭＡ２０００＿１ｘ方式におけるページングチャネルである、
ことを特徴とする請求項１から６のいずれか一項に記載の無線通信装置。
【請求項８】
前記識別データは、基地局を識別する値、チャネル番号、ＰＮコード、あるいはＰＮコードの基地局間のオフセット値のいずれかである、
ことを特徴とする請求項７に記載の無線通信装置。
【発明の詳細な説明】
【技術分野】
【０００１】
本発明は、補正機能付きの発振器を有する無線通信装置に関する。
【背景技術】
【０００２】
従来、携帯電話機等の無線通信装置の通信システム、例えばＣＤＭＡ２０００＿１ｘ方式における位置登録の手順では、無線通信装置は、捕捉用チャネル（パイロットチャネル）を捕捉し、そこから待受け用チャネル（ページングチャネル）に移行して待受け状態に遷移する。
【０００３】
ところで、この捕捉用チャネルの捕捉の際には、目的とするチャネルとは異なるチャネルのスプリアス電波（不要電波）が存在する場合があり、このスプリアス電波の影響により、目的のチャネルを受信できない可能性が指摘されている。そこで、例えば、受信強度の大きさにより判断したり、フィルタ等によりハード的な除去をしたりして、スプリアス電波の捕捉を回避している（例えば、特許文献１参照）。
【先行技術文献】
【特許文献】
【０００４】
【特許文献１】特開２００１−１０２９０６号公報
【発明の概要】
【発明が解決しようとする課題】
【０００５】
しかしながら、目的とするチャネルの近傍の周波数帯に他のチャネルのスプリアス電波が生じ、このスプリアス電波が目的のチャネルと類似した信号である場合には、依然として、このスプリアス電波を目的のチャネルと誤って認識してしまうおそれがあった。
【０００６】
本発明は、目的のチャネルの近傍の周波数帯にスプリアス電波が生じていても、このスプリアス電波を目的のチャネルと誤認識するのを回避できる無線通信装置を提供することを目的とする。
【課題を解決するための手段】
【０００７】
本発明に係る無線通信装置は、発振周波数の補正が可能な発振器と、周波数分割された複数の捕捉用チャネルのうちのいずれか１つの信号を捕捉し、捕捉した捕捉用チャネルの信号に基づいて、当該捕捉用チャネルにて指定された待受け用チャネルの受信を行うことで通信の待受け状態に遷移する通信手段と、前記通信手段により前記捕捉用チャネルあるいは待受け用チャネルを捕捉する際に、前記発振器の発振周波数を自動的に補正し、当該補正に基づく補正値により当該発振器の補正量を逐次更新するように制御する制御手段と、前記通信手段が所定の捕捉用チャネルの捕捉に成功したにもかかわらず、当該捕捉用チャネルの信号に基づいた待受け用チャネルの受信が行えず、前記待受け状態に遷移できないことが生じた場合に、当該捕捉用チャネルの信号に基づく識別データを記憶する記憶手段と、を備え、前記制御手段は、前記記憶手段に記憶された識別データにより特定される待受け用チャネルを受信する場合には、前記捕捉用チャネルの捕捉時における前記発振器の補正値にて前記補正量を更新しないよう制御する、ことを特徴とする。
【０００８】
また、前記記憶手段は、前記識別データの記憶を、捕捉した捕捉用チャネルの信号に基づいて、前記待受け状態に遷移できないことが所定回数生じた場合に行う、ことが好ましい。
【０００９】
また、前記記憶手段は、前記識別データの記憶を、捕捉した捕捉用チャネルの信号に基づいて、前記待受け状態に遷移できないことが連続して所定回数生じた場合に行う、ことが好ましい。
【００１０】
また、前記制御手段は、前記記憶手段に記憶された識別データにより特定される捕捉用チャネルの信号を捕捉した場合には、当該捕捉時における前記発振器の補正値による前記補正量の更新を行わないよう制御する、ことが好ましい。
【００１１】
また、前記制御手段は、前記通信手段により捕捉した捕捉用チャネルの信号に基づいて待受け用チャネルの受信に成功した場合には、当該待受け用チャネル受信時における前記発振器の補正値による前記補正量の更新を行うよう制御する、ことが好ましい。
【００１２】
また、前記制御手段は、前記通信手段により待受け用チャネルの受信に成功した場合における前記発振器の補正値により前記補正量を更新すると共に、当該発振器の補正値を所定の一時記憶領域にも保持しておき、前記記憶手段に記憶された識別データにより特定される捕捉用チャネルを捕捉し、当該捕捉用チャネルの信号に基づいた待受け用チャネルを受信する際に、当該待受け用チャネルの受信に失敗したならば、前記一時記憶領域に保持された補正値を用いて前記発振器の補正量を更新し、当該待受け用チャネルの捕捉を前記通信手段に行わせる、ことが好ましい。
【００１３】
また、前記捕捉用チャネルは、ＣＤＭＡ２０００＿１ｘ方式におけるパイロットチャネルであり、前記待受け用チャネルは、前記パイロットチャネルの信号から得られる同期メッセージに含まれる識別データを用いて捕捉するＣＤＭＡ２０００＿１ｘ方式におけるページングチャネルであることが好ましい。
【００１４】
また、前記識別データは、基地局を識別する値、チャネル番号、ＰＮコード、あるいはＰＮコードの基地局間のオフセット値のいずれかである、ことが好ましい。
【発明の効果】
【００１５】
本発明によれば、目的のチャネルの近傍の周波数帯にスプリアス電波が生じていても、このスプリアス電波を目的のチャネルと誤認識するのを回避できる。
【図面の簡単な説明】
【００１６】
【図１】第１実施形態に係る携帯電話機の外観斜視図である。
【図２】第１実施形態に係る携帯電話機の機能を示すブロック図である。
【図３】第１実施形態に係る同期を確立する処理を説明する図である。
【図４】第１実施形態に係るスプリアス電波を説明する図である。
【図５】第１実施形態に係るスプリアス電波の影響によりページングチャネルの受信に失敗する様子を説明する図である。
【図６】第１実施形態に係るスプリアス電波の判定情報を記憶したテーブルを示す図である。
【図７】第１実施形態に係るＣＰＵの処理の流れを示すフローチャートである。
【図８】図７から続くＣＰＵの処理を示すフローチャートである。
【図９】第１実施形態に係るＣＰＵの間欠待受け状態における処理の流れを示すフローチャートである。
【図１０】第２実施形態に係る発振器の制御用電圧の更新手順を示す図である。
【図１１】第２実施形態に係るＣＰＵの処理の流れを示すフローチャートである。
【図１２】第２実施形態に係るＣＰＵの間欠待受け状態における処理の流れを示すフローチャートである。
【発明を実施するための形態】
【００１７】
＜第１実施形態＞
以下、本発明の好適な実施形態の一例である第１実施形態について説明する。なお、本実施形態では、無線通信装置の一例として、携帯電話機１を説明する。なお、本発明の無線通信装置はこれには限られず、例えば、ＰＨＳ（Ｐｅｒｓｏｎａｌ  Ｈａｎｄｙ  ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）の他、通信機能を備えたナビゲーション装置やパーソナルコンピュータ等、さらには、これらに接続される通信モジュール等、様々な無線通信装置に適用可能である。
【００１８】
図１は、本実施形態に係る携帯電話機１（無線通信装置）の外観斜視図である。なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１９】
携帯電話機１は、操作部側筐体２と、表示部側筐体３と、を備えて構成される。操作部側筐体２は、表面部１０に、操作部１１と、携帯電話機１の使用者が通話時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２０】
また、表示部側筐体３は、表面部２０に、各種情報を表示するための表示部２１と、通話の相手側の音声を出力するレシーバ２２と、を備えて構成されている。
【００２１】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２２】
図２は、本実施形態に係る携帯電話機１の機能を示すブロック図である。携帯電話機１は、表示部２１と、ＣＰＵ３０（制御手段）と、通信制御部３１（通信手段）と、発振器３２と、アンテナ３３と、音声制御部３４と、マイク１２と、レシーバ２２と、操作部１１と、メモリ３５（記憶手段）と、を備える。
【００２３】
ＣＰＵ３０は、携帯電話機１の全体を制御しており、例えば、表示部２１、通信制御部３１、音声制御部３４等に対して所定の制御を行う。また、ＣＰＵ３０は、操作部１１等から入力を受け付けて、各種処理を実行する。そして、ＣＰＵ３０は、処理実行の際には、メモリ３５を制御し、各種プログラムおよびデータの読み出し、およびデータの書き込みを行う。
【００２４】
表示部２１は、ＣＰＵ３０の制御に従って、所定の画像処理を行う。そして、処理後の画像データをフレームメモリに蓄え、所定のタイミングで画面出力する。
【００２５】
通信制御部３１は、所定の使用周波数帯（例えば、２ＧＨｚ帯や８００ＭＨｚ帯等）で外部装置（基地局）と通信を行う。そして、通信制御部３１は、アンテナ３３より受信した信号を復調処理し、処理後の信号をＣＰＵ３０に供給し、また、ＣＰＵ３０から供給された信号を変調処理し、アンテナ３３から外部装置に送信する。
【００２６】
発振器３２は、通信制御部３１により、所定の周波数帯において周波数をチューニングし、周波数分割された複数の周波数チャネルのいずれかに合わせるために用いられる。具体的には、通信制御部３１により制御される電圧値に応じて出力周波数が変化する。
【００２７】
音声制御部３４は、ＣＰＵ３０の制御に従って、通信制御部３１から供給された信号に対して所定の音声処理を行い、処理後の信号をレシーバ２２に出力する。レシーバ２２は、音声制御部３４から供給された信号を外部に出力する。なお、この信号は、レシーバ２２に代えて、または、レシーバ２２と共に、スピーカ（図示せず）から出力されるとしてもよい。
【００２８】
また、音声制御部３４は、ＣＰＵ３０の制御に従って、マイク１２から入力された信号を処理し、処理後の信号を通信制御部３１に出力する。通信制御部３１は、音声制御部３４から供給された信号に所定の処理を行い、処理後の信号をアンテナ３３より出力する。
【００２９】
メモリ３５は、例えば、ワーキングメモリを含み、ＣＰＵ３０による演算処理に利用される。また、上述の発振器３２をある周波数にチューニングする際の制御電圧、あるいはその補正値を記憶し、発振器３２から出力される周波数の誤差を調整する。なお、メモリ３５は、着脱可能な外部メモリを兼ねていてもよい。
【００３０】
ここで、携帯電話機１が位置登録を行う基地局からの信号を捕捉し、待受け状態へ遷移する流れを説明する。なお、携帯電話機１および基地局は、通信システムとして、ＣＤＭＡ２０００＿１ｘ方式を採用しているものとして説明する。
【００３１】
まず、ＣＰＵ３０は、自機が対応可能な周波数情報を有するリストに従って、複数の周波数それぞれの周辺における捕捉用のパイロットチャネルの電界強度を順に測定する。ここで、所定以上の電界強度が検出されると、ＣＰＵ３０は、待受け可能な周波数チャネルとして、この周波数でのパイロットチャネルを捕捉する。
【００３２】
続いて、ＣＰＵ３０は、捕捉したパイロットチャネルから得られるＰＮ符号とのタイミングを合わせ、同期を確立する。このとき、図３に示すように、理想とする周波数（例えば、チャネル番号３７では、８７１．１１００ＭＨｚ）に対して、実際に捕捉して同期を確立した周波数とは、わずかにずれている場合がある。そこで、ＣＰＵ３０は、このずれの量をオフセット値として記憶する。携帯電話機１の発振器３２は、経年劣化や温度変化により誤差が生じるため、このようにオフセット値により制御電圧を補正することで、周波数の調整を行う。
【００３３】
次に、ＣＰＵ３０は、同期チャネルを受信し、基地局情報やチャネル構成等のシステム報知情報を含む同期チャネルメッセージを取得する。同期チャネルメッセージには、待受け用のページングチャネルのチャネル番号が指定されており、通常は、パイロットチャネルおよび同期チャネルと同一であるように運用されている。そして、通信制御部３１は、この同期チャネルメッセージで指定されたチャネル番号に基づいて、ページングチャネルに発振器３２の周波数をチューニングする。このとき、通信制御部３１は、上記のオフセット値を用いることで、発振器３２の経年劣化や温度変化による誤差を補正し、高精度にページングチャネルの周波数に合わせる。
【００３４】
なお、チャネル番号は、近隣のエリア内においては、基地局ごとに異なる値が与えられており、このような意味で、特定エリア内に限っては、チャネル番号はすなわち基地局を特定する識別データであるともいえる。また、近隣の基地局同士では重複しない値が与えられており、この値はすなわち各チャネルを逆拡散する際のＰＮ符号による符号同期に用いる時間的オフセット量をも意味している。このように、チャネルを特定する識別データとして、チャネル番号、基地局を識別する値、ＰＮコード、あるいはＰＮコードの基地局間の時間的オフセット量のいずれともとることのできる値が、同期チャネルメッセージに含まれている。
【００３５】
ところで、各周波数チャネルは、図４に示すように、本来の周波数から所定の間隔（１．２２８８ＭＨｚ間隔）ずつ離れた周波数で複数のスプリアス電波（不要電波）を発生させる場合がある。例えば、チャネル番号３７（３７ＣＨ）は「８７１．１１００ＭＨｚ」と規定されているが、「１．２２８８ＭＨｚ」の倍数だけ離れた位置にスプリアス電波が発生し、４倍の位置では、「８７６．０２５２ＭＨｚ」となる。
【００３６】
上述のパイロットチャネルを捕捉する際には、理想とする周波数（例えば、２０１ＣＨでは、８７６．０３００ＭＨｚ）の周辺（例えば１０ｋＨｚ幅）をトラッキングする。すると、目的のチャネルとは異なるチャネルのスプリアス電波が、このトラッキングの幅内に入るために、捕捉される場合がある。
【００３７】
具体的には、図５に示すように、３７ＣＨのスプリアス電波（８７６．０２５２ＭＨｚ）と２０１ＣＨ（８７６．０３００ＭＨｚ）とは、「４．８ｋＨｚ」の差しかないので、通信制御部３１は、２０１ＣＨをトラッキングする際に、２０１ＣＨの電界強度が低いと、３７ＣＨのスプリアス電波を捕捉してしまう。すると、このスプリアス電波と同期を確立し、同期チャネルメッセージを取得した結果、３７ＣＨのページングチャネルを取得すべく、発振器３２をチューニングする。このとき、通信制御部３１は、「４．８ｋＨｚ」ずれたスプリアス電波を２０１ＣＨと誤って認識しているため、上記のオフセット値に基づいて、３７ＣＨの本来の周波数（８７１．１１００ＭＨｚ）からずれた位置でページングチャネルの受信を試みる。その結果、通信制御部３１は、ページングチャネルの捕捉に失敗し、待受け状態へ遷移することができない。
【００３８】
このようにスプリアス電波を捕捉してしまうことにより、待受け状態へ遷移できなくなる状態を回避するため、ＣＰＵ３０は、以下の処理を実行する。
【００３９】
図６は、本実施形態に係るスプリアス電波の判定情報を記憶したテーブルを示す図である。ＣＰＵ３０は、パイロットチャネルを捕捉したチャネル番号に対応付けて、ページングチャネルの受信に失敗した場合の原因と、原因ごとの失敗回数とをメモリ３５に記憶する。
【００４０】
さらに、ＣＰＵ３０は、所定の失敗原因（例えば、「チャネルロスト」）の連続失敗回数が閾値に達した場合に、捕捉したパイロットチャネルはスプリアス電波であると判定し、スプリアスフラグを「１」に更新する。
【００４１】
ＣＰＵ３０は、スプリアス電波であると判定された周波数チャネルについては、捕捉時に調整されたオフセット値を破棄し、デフォルト値にする。このことにより、通信制御部３１は、ページングチャネルの本来の周波数付近をトラッキングできるので、スプリアス電波の影響によるチャネルロストを回避することができる。
【００４２】
図７および図８は、本実施形態に係るＣＰＵ３０の処理の流れを示す一連のフローチャートである。ここでは、パイロットチャネルの捕捉開始から、待受け状態へ遷移するまでの流れを示している。
【００４３】
ステップＳ１では、ＣＰＵ３０は、携帯電話機１が対応している周波数チャネルの全てに関して、捕捉に一定回数失敗したか否かを判定する。この判定がＹＥＳの場合は、いずれの周波数チャネルを用いても待受け状態へ遷移することができないので、圏外状態と判断し、省電力モードへ切り替える。一方、判定がＮＯの場合はステップＳ２に移る。
【００４４】
ステップＳ２では、ＣＰＵ３０は、発振器３２の制御用電圧値を、メモリ３５に記憶してある値に設定し、発振周波数の誤差を補正する。
【００４５】
ステップＳ３では、ＣＰＵ３０は、通信制御部３１により次候補の周波数チャネルの周波数に発振器３２をチューニングし、この周波数の周辺にてパイロットチャネルの捕捉を開始する。
【００４６】
ステップＳ４では、ＣＰＵ３０は、ステップＳ３でパイロットチャネルの捕捉に成功したか否かを判定する。この判定がＹＥＳの場合はステップＳ５に移る。一方、判定がＮＯの場合は、他の周波数チャネルの捕捉を試みるため、ステップＳ１に戻る。
【００４７】
ステップＳ５では、ＣＰＵ３０は、ステップＳ４で捕捉したパイロットチャネルのチャネル番号を一時記憶する。
【００４８】
ステップＳ６では、ＣＰＵ３０は、ステップＳ５で一時記憶したチャネル番号（捕捉したパイロットチャネルと同一周波数）にて同期チャネルを捕捉し、同期チャネルメッセージの受信を開始する。
【００４９】
ステップＳ７では、ＣＰＵ３０は、ステップＳ６で同期チャネルメッセージの受信に成功したか否かを判定する。この判定がＹＥＳの場合はステップＳ８に移る。一方、判定がＮＯの場合は、他の周波数チャネルの捕捉を試みるため、ステップＳ１に戻る。
【００５０】
ステップＳ８では、ＣＰＵ３０は、ステップＳ７にて受信に成功した場合の周波数チャネルがスプリアスチャネルか否かを判定する。具体的には、図６のテーブルに記憶された判定情報を参照し、スプリアスフラグが「１」であるか否かを判定する。この判定がＹＥＳの場合はステップＳ１０に移り、判定がＮＯの場合はステップＳ９に移る。
【００５１】
ステップＳ９では、ＣＰＵ３０は、捕捉したパイロットチャネルおよび同期チャネルがスプリアス電波ではないので、発振器３２の制御用電圧値を更新し、指定されたページングチャネルへのチューニングに備える。
【００５２】
ステップＳ１０では、ＣＰＵ３０は、捕捉したパイロットチャネルおよび同期チャネルがスプリアス電波と判断されたので、発振器３２の制御用電圧値は更新せず、チャネルロストの要因となる不要なオフセットを回避する。
【００５３】
ステップＳ１１では、ＣＰＵ３０は、ステップＳ７にて取得した同期チャネルメッセージを解読し、指定されたページングチャネルの受信を開始する。
【００５４】
ステップＳ１２では、ＣＰＵ３０は、ステップＳ１１でページングチャネルの受信に成功したか否かを判定する。この判定がＹＥＳの場合はステップＳ１９に移る。一方、判定がＮＯの場合は、パイロットチャネルおよび同期チャネルがスプリアス電波であった可能性があるので、その判定のためにステップＳ１３に移る。
【００５５】
ステップＳ１３では、ＣＰＵ３０は、ステップＳ１２でのページングチャネルの捕捉失敗原因を特定し、チャネル番号および失敗原因ごとの失敗回数を記憶する（図６参照）。
【００５６】
ステップＳ１４では、ＣＰＵ３０は、所定の失敗原因（例えば、「チャネルロスト」）に関して、ステップＳ１３で記憶した失敗回数が閾値を超えたか否かを判定する。ここでは、特に連続した失敗回数が閾値を超えたか否かを判定することにより、より精度が向上する。そして、この判定がＹＥＳの場合は、ページングチャネルの受信失敗がスプリアス電波を捕捉したことによるものと判断し、ステップＳ１５に移る。一方、判定がＮＯの場合は、ページングチャネルの受信失敗がスプリアス電波によるものとは断定できないので、ステップＳ１（図７）に戻る。
【００５７】
なお、過去の履歴まで含めての回数が閾値を超えたかどうかを判定してもよいが、連続しての回数が閾値を超えたかどうか判定する方が好ましい。すなわち、一度でもページングチャネルの受信に成功したことが過去の履歴にある場合、必ずしもスプリアス電波とは断定できないためである。
【００５８】
ステップＳ１５では、ＣＰＵ３０は、捕捉したパイロットチャネルおよび同期チャネルがスプリアス電波であったと判断し、上述のスプリアスフラグを「１」として判定情報に記憶する（図６参照）。
【００５９】
ステップＳ１６では、ＣＰＵ３０は、捕捉したパイロットチャネルおよび同期チャネルがスプリアス電波であったと判断されたので、発振器３２の制御用電圧値を破棄し、デフォルト値に変更する。
【００６０】
ステップＳ１７では、ＣＰＵ３０は、ステップＳ１６にて変更された発振器３２の制御用電圧値により、不要なオフセットを取り止め、再度ページングチャネルの受信を開始する。
【００６１】
ステップＳ１８では、ＣＰＵ３０は、ステップＳ１７でページングチャネルの受信に成功したか否かを判定する。この判定がＹＥＳの場合はステップＳ１９に移る。一方、判定がＮＯの場合は、取得した同期チャネルメッセージからはページングチャネルを受信して待受け状態へ遷移することができないので、ステップＳ１に戻る。
【００６２】
ステップＳ１９では、ＣＰＵ３０は、ステップＳ１８にてページングチャネルの受信に成功した際の発振器３２の調整量により、制御用電圧値を更新し、待受け状態へ遷移する。これにより、次回のチューニング時の精度が向上する。
【００６３】
図９は、本実施形態に係るＣＰＵ３０の処理の流れを示すフローチャートである。ここでは、間欠待受け状態におけるページングチャネルの受信処理を示している。間欠待受け状態とは、ページングチャネルの受信と省電力モード（受信停止）を繰り返す状態である。
【００６４】
ステップＳ２１では、ＣＰＵ３０は、省電力モードからページングチャネルの受信を開始したとき、受信に成功したか否かを判定する。この判定がＹＥＳの場合はステップＳ２２に移る。一方、判定がＮＯの場合は、図７のフローチャートに戻って他の周波数チャネルの捕捉を開始する。
【００６５】
ステップＳ２２では、ＣＰＵ３０は、ステップＳ２１にてページングチャネルの受信に成功した際の発振器３２の調整量により、制御用電圧値を更新し、待受け状態へ遷移する。
【００６６】
以上のように、本実施形態によれば、パイロットチャネルの捕捉時にスプリアス電波を捕捉してしまっても、発振器３２に対する不適切な制御用電圧値を破棄することができる。これにより、ページングチャネルを捕捉できなくなる事態を回避することができる。
【００６７】
＜第２実施形態＞
以下、本発明の好適な実施形態の一例である第２実施形態について説明する。なお、第１実施形態と同様の構成等については、同一の符号を付し、説明を省略または簡略化する。
【００６８】
図１０は、本実施形態に係る発振器３２の制御用電圧の更新手順を示す図である。比較のために、第１実施形態の場合（ａ）と第２実施形態の場合（ｂ）とを示している。
【００６９】
第１実施形態では、捕捉した周波数チャネルがスプリアス電波と判断されて、発振器３２の制御用電圧に関する補正値を破棄すると、予め記憶されているデフォルト値に変更して、ページングチャネルの受信を試みる。
【００７０】
一方、第２実施形態では、バッファ（一時記憶領域）をさらに備え、このバッファに記憶された値により発振器３２を補正する。バッファには、以前にページングチャネルの受信に成功した際の補正値が記憶されており、過去の成功実績によりページングチャネルの受信を試みる。また、発振器３２の制御用電圧がバッファの値により変更されると、バッファはデフォルト値に変更される。したがって、依然としてページングチャネルの受信に失敗する場合には、発振器３２の制御用電圧は、次にデフォルト値に変更されて再試行される。
【００７１】
図１１は、本実施形態に係るＣＰＵ３０の処理の流れを示すフローチャートである。第１実施形態（図７および図８）のステップＳ１６がステップＳ３１〜Ｓ３２に置き換わり、ステップＳ３３が追加されている。なお、第１実施形態と共通のステップについては説明を省略する。
【００７２】
ステップＳ３１では、ＣＰＵ３０は、捕捉したパイロットチャネルおよび同期チャネルがスプリアス電波であったと判断されたので、発振器３２の制御用電圧値を破棄し、バッファの値に変更する。
【００７３】
ステップＳ３２では、ＣＰＵ３０は、ステップＳ３１でバッファの値が使用されたので、このバッファをデフォルト値に設定し、さらにページングチャネルの受信に失敗した場合に備える。
【００７４】
ステップＳ３３では、ＣＰＵ３０は、ページングチャネルの受信に成功してステップＳ１９で更新された発振器３２の制御用電圧値を、バッファにも保存する。これにより、ステップＳ３１〜Ｓ３２の処理を可能とする。
【００７５】
図１２は、本実施形態に係るＣＰＵ３０の間欠待受け状態における処理の流れを示すフローチャートである。第１実施形態（図９）に対して、ステップＳ４１が追加されている。なお、第１実施形態と共通のステップについては説明を省略する。
【００７６】
ステップＳ４１では、ＣＰＵ３０は、ページングチャネルの受信に成功してステップＳ２２で更新された発振器３２の制御用電圧値を、バッファにも保存する。これにより、ステップＳ３１〜Ｓ３２（図１１）の処理を可能とする。
【００７７】
以上のように、本実施形態によれば、ページングチャネルの受信に成功した際の発振器３２の制御用電圧値をバッファに記憶しておく。これにより、スプリアス電波の捕捉に伴って不適切な制御用電圧値を破棄した場合に、前回の成功実績に基づいて再試行することができる。
【００７８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７９】
上述の実施形態では、ページングチャネルの受信に成功した場合、即座に発振器３２の制御用電圧値を更新したが、これには限られない。例えば、ページングチャネルの受信に所定回数成功したら更新、記憶することとしてもよい。この場合、より安定して受信できる補正値を保存するので、より確実に待受け状態へ遷移することができる。
【符号の説明】
【００８０】
１  携帯電話機（無線通信装置）
１１  操作部
１２  マイク
２１  表示部
２２  レシーバ
３０  ＣＰＵ（制御手段）
３１  通信制御部（通信手段）
３２  発振器
３３  アンテナ
３４  音声制御部
３５  メモリ（記憶手段）
【図１】
2010177968.tif 000003
【図２】
2010177968.tif 000004
【図３】
2010177968.tif 000005
【図４】
2010177968.tif 000006
【図５】
2010177968.tif 000007
【図６】
2010177968.tif 000008
【図７】
2010177968.tif 000009
【図８】
2010177968.tif 000010
【図９】
2010177968.tif 000011
【図１０】
2010177968.tif 000012
【図１１】
2010177968.tif 000013
【図１２】
2010177968.tif 000014